(57)【要約】      （修正有）【課題】外出時などにおいて、つぼ治療具を取り外す煩雑さを解消すると共に、イヤリングなどの装身具を装着する感覚を与える、装飾体又は擬体付きつぼ押圧・刺激具の提供。【解決手段】星形図形の再貼付可能な感圧性貼着シール１の略中心に、金メッキした粒子体２の上面が感圧性貼着シール１の底面１ａに接着剤１ｂを介して貼着され、つぼを刺激する。【選択図】図３
0003105682.tif 000002
【実用新案登録請求の範囲】
【請求項１】
主に衣服、履き物などを着用時、露出する体表面のつぼ又はつぼ近傍部位に貼着部材を介して又は直接貼付される、ファッション性ある装飾体又は擬体付きつぼ押圧・刺激具であって、
前記露出する体表面が、顔面、耳、首、肩、胸、背部、腕、下肢及び足であり、
前記貼着部材が、絆創膏、接着剤、片面接着テープ、両面接着テープ又は穴抜きかつ片面接着テープ、両面接着テープ付き各種形状体であり、
前記つぼ押圧・刺激具が各種部材からなる円皮鍼、粒子、球体、半球体、円柱体、磁性体、多角柱体、経皮浸透材又は生薬であり、
前記ファッション性ある装飾体及び擬体を、つぼ押圧・刺激具の表装面又は前記貼着部材の表装面に着装したことを特徴とする、ファッション性ある装飾体又は擬体付きつぼ押圧・刺激具。
【請求項２】
前記ファッション性ある装飾体又は擬体が、つぼ押圧・刺激具の上面に貼着される肌色を含む、着色又は透明又は半透明な扁平状の各種部材からなる、各種の図形、図柄、模様、文字からなることを特徴とする、請求項１記載のファッション性ある装飾体又は擬体付きつぼ押圧・刺激具。
【請求項３】
前記ファッション性ある装飾体又は擬体が、つぼ押圧・刺激具の上面に接着剤又は感圧性糊などにより着装される、厚肉の各種形状からなる立体物であることを特徴とする、請求項１ないし請求項２記載のファッション性ある装飾体又は擬体付きつぼ押圧・刺激具。
【請求項４】
前記ファッション性ある装飾体又は擬体が、つぼ押圧・刺激具の上面に接着剤又は感圧性糊などにより着装される、擬宝玉、水晶体、クリスタルガラス、アクリル樹脂又はチタンなど各種金属製の発光物であることを特徴とする、請求項１ないし請求項３記載のファッション性ある装飾体又は擬体付きつぼ押圧・刺激具。
【請求項５】
前記ファッション性ある装飾体又は擬体が、肌色を含む、着色又は透明又は半透明な扁平状の各種部材からなる、各種の図形、図柄、模様、文字などと、厚肉の各種形状からなる立体物と又は擬宝玉、水晶体、クリスタルガラス、アクリル樹脂又はチタンなど各種金属製の発光物との組み合わせであることを特徴とする、請求項１ないし請求項４記載のファッション性ある装飾体又は擬体付きつぼ押圧・刺激具。
【請求項６】
前記ファッション性ある装飾体又は擬体が、厚肉の各種形状からなる立体物と擬宝玉、水晶体、クリスタルガラス、アクリル樹脂又はチタンなど各種金属製の発光物との組み合わせであることを特徴とする、請求項１ないし請求項５記載のファッション性ある装飾体又は擬体付きつぼ押圧・刺激具。
【考案の詳細な説明】
【技術分野】
【０００１】  本考案は、ファッション性ある装飾体又は擬体付きつぼ押圧・刺激具に係わり、詳しくは主に衣服、履き物などを着用時、露出する体表面のつぼ又はつぼ周辺部位に貼付される、ファッション性ある装飾体又は擬体付きつぼ押圧・刺激具に関する。
【背景技術】
【０００２】  東洋医学では、人体の体表面には多数のつぼ（経穴）といわれる押圧、刺激点があり、そのつぼを刺激することによって、肩こり、頭痛、血行不良その他の症状が緩和されることが知られている。そのため従来より、そのつぼに鍼を打って治療したり、置針を刺したりしている。また円柱状の磁石を肌色に似せた薄茶色の接着部材を介し、置針型のつぼ又はつぼ周辺部位に貼着したものもあり、図９に示す従来の施療具の一例でいわゆる、円皮鍼と称されるものであったり、また特開２００２−２０９９７３の貼付治療具、特開２０００−３４４６６２の皮膚貼付具及び登録実用新案第３０３２４９１号のつぼ押し体等々各種の治療具やつぼ押し具が提案されている。
【特許文献１】特開２００２−２０９９７３号公報
【特許文献２】特開２０００−３４４６６２号公報
【特許文献３】登録実用新案第３０３２４９１号公報
【考案の開示】
【考案が解決しようとする課題】
【０００３】  しかしながら、上記の従来技術の円皮鍼又は各種の治療具などは、人体の体表面にあるつぼ、又はつぼ周辺部位を押圧又は刺激することにより、肩こり、頭痛、血行不良その他の症状緩和ないし治癒を主目的としているので、各種の治療具などの形態、色彩、大きさなどはなおざりにされ、むしろできるだけ目立たないように制作され、販売されている。【０００４】  主に若い女性は、つぼ治療具などの使用を他人に知られたくないという潜在意識があり、衣服などを着替えて、外出するときなどにその傾向が強く、特に体表面の露出部については、それまで装着していたつぼ治療具などを取り外して出かけている。またときには取り外し忘れなどもあり、赤面したりすることもある。【０００５】  本考案は、上記従来の各種つぼ治療具などが有している課題を解決し、少なくとも露出される体表面のつぼ、又はつぼ周辺部位に装着されている各種のつぼ治療具などを外出時又は出勤時などにおいて、つぼ治療具などの着用者が、そのつど取り外す煩雑さを解消し、むしろつぼ治療具などをイヤリング、ピアスなどのアクセサリー装着感覚を与える、ファッション性ある装飾体及び擬体付きつぼ押圧・刺激具を提供することを本考案の目的としている。
【課題を解決するための手段】
【０００６】  請求項１に係る、ファッション性ある装飾体又は擬体付きつぼ押圧・刺激具にあっては、主に衣服、履き物などを着用時、露出する体表面のつぼ又はつぼ近傍部位に貼着部材を介して又は直接貼付される、ファッション性ある装飾体又は擬体付きつぼ押圧・刺激具であって、前記露出する体表面が、顔面、耳、首、肩、胸、背部、腕、下肢及び足であり、前記貼着部材が、絆創膏、接着剤、片面接着テープ、両面接着テープ又は穴抜きかつ片面接着テープ、両面接着テープ付き各種形状体であり、前記つぼ押圧・刺激具が各種部材からなる円皮鍼、粒子、球体、半球体、円柱体、磁性体、多角柱体、経皮浸透材又は生薬であり、前記ファッション性ある装飾体及び擬体を、つぼ押圧・刺激具の表装面又は前記貼着部材の表装面に着装したことを特徴としている。【０００７】  請求項２は、請求項１記載のファッション性ある装飾体又は擬体付きつぼ押圧・刺激具にあって、前記ファッション性ある装飾体又は擬体が、つぼ押圧・刺激具の上面に貼着される肌色を含む、着色又は透明又は半透明な扁平状の各種部材からなる、各種の図形、図柄、模様、文字からなることを特徴としている。【０００８】  請求項３は、請求項１ないし請求項２記載のファッション性ある装飾体又は擬体付きつぼ押圧・刺激具にあって、前記ファッション性ある装飾体又は擬体が、つぼ押圧・刺激具の上面に接着剤又は感圧性糊などにより着装される、厚肉の各種形状からなる立体物であることを特徴としている。【０００９】  請求項４は、請求項１ないし請求項３記載のファッション性ある装飾体又は擬体付きつぼ押圧・刺激具にあって、前記ファッション性ある装飾体又は擬体が、つぼ押圧・刺激具の上面に接着剤又は感圧性糊などにより着装される、擬宝玉、水晶体、クリスタルガラス、アクリル樹脂又はチタンなど各種金属製の発光物であることを特徴としている。【００１０】  請求項５は、請求項１ないし請求項４記載のファッション性ある装飾体又は擬体付きつぼ押圧・刺激具にあって、前記ファッション性ある装飾体又は擬体が、肌色を含む、着色又は透明又は半透明な扁平状の各種部材からなる、各種の図形、図柄、模様、文字などと、厚肉の各種形状からなる立体物と又は擬宝玉、水晶体、クリスタルガラス、アクリル樹脂又はチタンなど各種金属製の発光物との組み合わせであることを特徴としている。【００１１】  請求項６は、請求項１ないし請求項５記載のファッション性ある装飾体又は擬体付きつぼ押圧・刺激具にあって、前記ファッション性ある装飾体又は擬体が、厚肉の各種形状からなる立体物と擬宝玉、水晶体、クリスタルガラス、アクリル樹脂又はチタンなど各種金属製の発光物との組み合わせであることを特徴としている。【００１２】  請求項１ないし請求項６記載の擬体とは、例えばつけ黒子、つけ髭、鬘、ネックレス、ブレスレット、アンクレット、腕時計、眼鏡（特にテンプル、ブリッジ部分）などのようにおしゃれとして身体に装着し、他人になんらの違和感を与えない物品の総称をいう。
【考案の効果】
【００１３】  請求項１ないし請求項６の本考案によれば、露出される体表面の顔面、耳、首、肩、胸、背部、腕、下肢及び足にあるつぼに押圧又は刺激を付与し、肩こり、頭痛その他の症状緩和と治癒などの目的を達成すると共に、装飾体がファッション性のある各種形態、色彩、大きさなどからなるので着用者は、外出時などでそのつど、これを取り外す煩雑さを解消すると共に、着衣の色彩、外出の目的などによりあるいは、気分転換としてイヤリング、ピアス等の装身具を装着する感覚で使用することができ、おしゃれとなると共に、精神的な「癒し」ともなる。
【考案を実施するための最良の形態】
【００１４】  以下、本考案に係る、ファッション性ある装飾体及び擬体付きつぼ押圧・刺激具の好適な実施形態について図面を参照しながら説明する。図１は、本考案に係るつぼ押圧・刺激具を上半身の体表面中で、主に露出する顔面、胸部及び腕部に装着した状態を示す正面図、図２は、下肢及び足部につぼ押圧・刺激具を装着した状態を示す正面図、図３（ａ）は、図１における（イ）部の拡大平面図、図３（ｂ）はそのイ−イ線断面図、図４（ａ）は、図１における（ロ）部の拡大平面図、図４（ｂ）はそのロ−ロ線断面図、図５（ａ）は、図１における（ハ）部の拡大平面図、図５（ｂ）はそのハ−ハ線断面図、図６（ａ）は、図１における（ニ）部の拡大平面図、図６（ｂ）はそのニ−ニ線断面図、図７（ａ）は、図２における（ホ）部の拡大平面図、図７（ｂ）はそのホ−ホ線断面図、図８（ａ）は、図２における（ヘ）部の拡大平面図、図８（ｂ）はそのヘ−ヘ線断面図、図９（ａ）は、従来例を示す正面図、図９（ｂ）はその平面図、図１０は図１における擬体（つけ黒子）Ａの拡大断面図である。【００１５】  図３（ａ）及び図３（ｂ）に示す１は、星形図形の再貼付可能な感圧性貼着シールで、その略中心に金メッキした粒子体２の上面が感圧性貼着シール１の底面１ａに接着剤１ｂを介して貼着され、図１に示す（イ）部の陽白というつぼを刺激する。【００１６】  図４（ａ）及び図４（ｂ）に示す３は、ハート図形の着色例えば赤色の絆創膏で、その略中心の底面３ａに円皮鍼４の上面が接着剤３ｂを介して貼着され、図１に示す（ロ）部の聴会というつぼに円皮鍼４の鍼針４ａを刺し込んで刺激する。【００１７】  図５（ａ）及び図５（ｂ）に示す５は、桜の花びら状樹脂製の装飾体で、その中心部には、別の装飾体例えば、クリスタルグラス６が桜の花びら状樹脂製の装飾体５の上面５ａに接着剤５ｂを介して貼着されると共に、装飾体５の底面には、樹脂製の穴抜きリング体７が貼着され、かつリング体７の穴７ａには球状の鍼体８が固着され、リング体７の底面７ｂには再貼付可能な接着剤が塗布されており、図１に示す（ハ）部の天突というつぼ及び（ハ’）部の中府というつぼを鍼体８の底部８ａで押圧、刺激する。【００１８】  図６（ａ）及び図６（ｂ）に示す９は、円形状幾何学模様の接着テープで、その底面９ａの中心部には、円柱状磁石１０が接着剤９ｂを介して固定され、図１に示す（ニ）部の曲池というつぼを磁石１０の底部１０ａで押圧、刺激する。【００１９】図７（ａ）及び図７（ｂ）に示す１１は、四分音符状絵柄の再貼付可能な接着テープで、その底面１１ａには複数の粒状鍼体１２及び１２’が貼付されており、図２に示す（ホ）部の外膝眼というつぼと（ホ’）部の内膝眼というつぼとを同時に粒状鍼体１２、１２’で押圧、刺激する。【００２０】  図８（ａ）及び図８（ｂ）に示す１３は、二分音符状絵柄の再貼付可能な接着テープで、その底面１３ａには樹脂製の穴抜き各種形状体１４が貼着され、かつ穴抜き各種形状体１４の穴１４ａには尖鋭状の鍼体１５が保持されており、図２に示す（ヘ）部の太衝というつぼに鍼体１５を刺し込み、刺激する。【００２１】  図１０のＡは、図１に示す擬体の一例であるつけ黒子で、１６は黒色とした表面部で���裏面部１７の全面に接着剤が塗布されており、その中心部に半球状の鍼体１８が固定され、該鍼体１８の底部で地倉というつぼを刺激する。【００２２】
0003105682.tif 000003
と称されるつぼであり、上述した装飾体付きつぼ押圧・刺激具又は各種の装飾体付きつぼ押圧・刺激具で適宜押圧、刺激することができる。【００２３】  図１及び図２に示す体表面で、露出されるつぼの他に、図示されていない背中にある、大椎、肩井、風門などがあり、また手の甲部にある養老、合谷、腰腿点、落枕、さらに下肢の裏面部にある委中、承筋、承山などのつぼにも適宜、各種の形態、色彩、大きさなどからなる装飾体又は擬体付きつぼ押圧・刺激具を貼着し、ファッションとして楽しむと共に、肩こり、頭痛その他の症状緩和と治癒などの目的を達成することができる。
【産業上の利用可能性】
【００２４】  近年のパソコン、インターネットをはじめ多くのデジタル機器の急速な普及に伴い、また各種のストレスによる人体の異常、不定愁訴などの一解消手段として、つぼ治療、マッサージなどが注目されている今日、本考案に係るファッション性ある装飾体又は擬体付きつぼ押圧・刺激具は、特に１０代から６０代の女性におけるそれぞれの興趣に合った、つぼ押圧・刺激具が選択され使用される。
【図面の簡単な説明】
【００２５】
【図１】本考案のファッション性ある装飾体又は擬体付きつぼ押圧・刺激具を顔面、胸部及び腕部に装着した状態を示す正面図である。
【図２】下肢及び足部につぼ押圧・刺激具を装着した状態を示す正面図である。
【図３】（ａ）は、図１における（イ）部の拡大平面図である。
【図３】（ｂ）は、同上イ−イ線断面図である。
【図４】（ａ）は、図１における（ロ）部の拡大平面図である。
【図４】（ｂ）は、同上ロ−ロ線断面図である。
【図５】（ａ）は、図１における（ハ）部の拡大平面図である。
【図５】（ｂ）は、同上ハ−ハ線断面図である。
【図６】（ａ）は、図１における（ニ）部の拡大平面図である。
【図６】（ｂ）は、同上ニ−ニ線断面図である。
【図７】（ａ）は、図２における（ホ）部の拡大平面図である。
【図７】（ｂ）は、同上ホ−ホ線断面図である。
【図８】（ａ）は、図２における（ヘ）部の拡大平面図である。
【図８】（ｂ）は、同上ヘ−ヘ線断面図である。
【図９】（ａ）は、従来例の正面図である。
【図９】（ｂ）は、同上の平面図である。
【図１０】は、図１における擬体（つけ黒子）Ａの拡大断面図である。
【符号の説明】
【００２６】１              感圧性貼着シール
２              粒子体
３              絆創膏
４              円皮鍼４
５              装飾体
６              クリスタルグラス
７              リング体
８              鍼体
９              接着テープ
１０            磁石
１１            接着テープ
１２            粒状鍼体
１３            接着テープ
１４            リング体
１５            鍼体
Ａ              擬体（つけ黒子）
【図１】
0003105682.tif 000004
【図２】
0003105682.tif 000005
【図３】
0003105682.tif 000006
【図４】
0003105682.tif 000007
【図５】
0003105682.tif 000008
【図６】
0003105682.tif 000009
【図７】
0003105682.tif 000010
【図８】
0003105682.tif 000011
【図９】
0003105682.tif 000012
【図１０】
0003105682.tif 000013
【手続補正書】
【提出日】平成16年8月2日(2004.8.2)
【手続補正１】
【補正対象書類名】明細書
【補正対象項目名】００２５
【補正方法】変更
【補正の内容】
【００２５】
【図１】は、本考案のファッション性ある装飾体又は擬体付きつぼ押圧・刺激具を顔面、胸部及び腕部に装着した状態を示す正面図である。
【図２】は、下肢及び足部につぼ押圧・刺激具を装着した状態を示す正面図である。
【図３】（ａ）は、図１における（イ）部の拡大平面図、（ｂ）は、同イ−イ線断面図である。
【図４】（ａ）は、図１における（ロ）部の拡大平面図、（ｂ）は、同ロ−ロ線断面図である。
【図５】（ａ）は、図１における（ハ）部の拡大平面図、（ｂ）は、同ハ−ハ線断面図である。
【図６】（ａ）は、図１における（ニ）部の拡大平面図、（ｂ）は、同ニ−ニ線断面図である。
【図７】（ａ）は、図２における（ホ）部の拡大平面図、（ｂ）は、同ホ−ホ線断面図である。
【図８】（ａ）は、図２における（ヘ）部の拡大平面図、（ｂ）は、同ヘ−ヘ線断面図である。
【図９】（ａ）は、従来例の正面図、（ｂ）は、同平面図である。
【図１０】は、図１における擬体（つけ黒子）Ａの拡大断面図である。